(57)【要約】      （修正有）【課題】バイパス管を設けることなく停電時にも給水を可能とする電磁弁を提供すること。【解決手段】給水経路１に配置され、通電時に開放して通水し非通電時に閉鎖して止水する弁機構２を有する電磁弁において、前記弁機構２を手動で強制開放する強制開放機構６を設けた。強制開放機構としてはネジ機構等を利用することができ、この強制開放機構は、電磁弁に一体的に組み込むことが好ましい。【選択図】図１
2005214265.tif 000002
【特許請求の範囲】
【請求項１】
給水経路に配置され、通電時に開放して通水し非通電時に閉鎖して止水する弁機構を有する電磁弁において、前記弁機構を手動で強制開放する強制開放機構を設けたことを特徴とする電磁弁。
【請求項２】
前記強制開口機構が一体的に組み込まれている請求項１に記載の電磁弁。
【発明の詳細な説明】
【技術分野】
【０００１】
本発明は、給水経路に使用される電磁弁に関する。
【背景技術】
【０００２】
従来、給水装置等の給水経路には、その給水経路を開閉する電磁弁が設けられることが多い（例えば特許文献１参照）。
【０００３】
ところが、電磁弁は、通電により開閉作動するので、停電時には所望の開閉動作を行わせることができない。これに対して、特許文献２には、給水経路に設けた電磁弁の上流側と下流側を接続するバイバス管を設けるとともに、バイバス管に開閉弁を設け、停電時に電磁弁が開けない場合に、バイパス管の開閉弁を開いて給水を行えるようにした技術が開示されている。
【０００４】
しかし、特許文献２の技術では、別途にバイパス管と開閉弁を設ける必要があることから、そのためのスペースが必要になり、また、コストも高くなるという問題があった。
【特許文献１】特開２００２−２８６１５５号公報
【特許文献２】特開平６−１７４３０１号公報
【発明の開示】
【発明が解決しようとする課題】
【０００５】
本発明が解決しようとする課題は、バイパス管を設けることなく停電時にも給水を可能とする電磁弁を提供することにある。
【課題を解決するための手段】
【０００６】
本発明は、給水経路に配置され、通電時に開放して通水し非通電時に閉鎖して止水する弁機構を有する電磁弁において、前記弁機構を手動で強制開放する強制開放機構を設けたことを特徴とする。強制開放機構としてはネジ機構等を利用することができ、この強制開放機構は、電磁弁に一体的に組み込むことが好ましい。
【発明の効果】
【０００７】
本発明によれば、強制開放機構によって電磁弁を手動で開放することができるので、停電時にも給水が可能となる。また、従来のようにバイパス管を設ける必要がないので、給水経路の省スペース化と低コスト化を実現できる。
【発明を実施するための最良の形態】
【０００８】
以下、図面に示す実施例に基づき本発明の実施の形態を説明する。
【実施例】
【０００９】
図１は、本発明の電磁弁を一部分解して示す断面図である。同図に示すように、本発明の電磁弁は、図中矢印方向に給水する給水経路１の途中に配置されており、給水経路１を開閉する弁機構としてダイヤフラム２を有している。ダイヤフラム２は、ダイヤフラムボディー２ａとこれに一体的に取り付けられたダイヤフラムゴム２ｂとからなる。また、ダイヤフラム２の中心部には第１通水孔２ｃが設けられ、また、給水経路１の上流側に面する周縁部には、上下に連通する微小な第２通水孔２ｄが形成されている。
【００１０】
ダイヤフラム２は、ピストン３を移動させることによって開閉方向に作動し、これに伴って給水経路１が開閉される。ピストン３は、電磁コイル４の内部に配置されており、電磁コイル４の非通電時には、スプリング５の付勢力によってダイヤフラム２を閉方向（実施例では下方向）に押圧する。すなわち、非通電時には、給水経路１はダイヤフラム２によって閉鎖されて止水される。一方、電磁コイル４に通電すると、その電磁力によってピストン３がダイヤフラム２の開方向（実施例では上方向）に移動する。これに伴いダイヤフラム２が開方向に移動して給水経路１は開放される。
【００１１】
また、ダイヤフラム２の下方には、ダイヤフラム２を強制的に開方向に移動させて電磁弁を開放する強制開放機構６が設けられている。強制開放機構６はネジ機構からなり、ダイヤフラム２の開閉方向に移動可能に構成されている。すなわち、強制開放機構６をダイヤフラム２の開方向に移動させて当接させた後、さらに開方向に移動させることによってダイヤフラム２を開方向に移動させて電磁弁を開放する。
【００１２】
図２は、図１の電磁弁の作動を示す断面図であり、（ａ）は非通電時の閉状態、（ｂ）は通電時の開状態、（ｃ）停電時の強制開放状態を示す。
【００１３】
図２（ａ）に示す非通電時の閉状態では、上述のように、ダイヤフラム２がピストン３によって閉方向に押圧されて給水経路１が閉鎖される。このとき、ダイヤフラム２の第１通水孔２ｃの上端はピストン３によって塞がれ、ダイヤフラム２の上方に密閉された空間７が形成される。そして、この空間７内には給水経路１上流側の水がダイヤフラム２の第２通水孔２ｄを介して浸入し、空間７内の水圧は給水経路１上流側の水圧と等しくなる。このように、ダイヤフラム２にはピストン３（スプリング５）による押圧力のほか、空間７の水圧による押圧力も作用するので、閉状態が安定して保持される。なお、この閉状態では、給水経路１下流側の水圧は、ゼロ、若しくは上流側及び空間７内の水圧より相当に低くなっている。
【００１４】
電磁コイル４に通電すると、図２（ｂ）に示すように、電磁力によってピストン３がダイヤフラム２の開方向に移動する。これによって、ダイヤフラム２の第１通水孔２ｃが開放され、空間７内の水が第１通水孔２ｃを介して給水経路１の下流側に流出する。そうすると、空間７内の水圧が給水経路１の上流側の水圧より低くなり、その水圧差によってダイヤフラム２が開方向に移動して電磁弁が開放される。
【００１５】
通常時の電磁弁の開放は上述のように行われるが、停電時には電磁力を作用させることができないので、強制開放機構６を使用してダイヤフラム２を強制的に開方向に移動させる。実施例では、図２（ｃ）に示すように、ネジ機構からなる強制開放機構６を手動で螺進させダイヤフラム２に当接させた後、スプリング５の付勢力及び空間７の水圧に抗して強制開放機構６をさらに開方向に螺進させることによって、ダイヤフラム２を開方向に移動させて電磁弁を開放する。これによって、停電時であっても給水が可能となる。
【００１６】
以上の実施例では、電磁弁の弁機構としてダイヤフラム２を用いたものを示したが、本発明の電磁弁における弁機構はこれに限定されるものではなく、通電時に開放して通水し、非通電時に閉鎖して止水するものであればよい。例えば、上記実施例のダイヤフラム２とピストン３とを一体化し、スプリング５の付勢力と電磁力のみによって給水経路１を開閉するようにしてもよい。
【産業上の利用可能性】
【００１７】
本発明は、電磁弁を使用する各種の給水経路において利用可能である。
【図面の簡単な説明】
【００１８】
【図１】本発明の電磁弁を一部分解して示す断面図である。
【図２】電磁弁の作動を示す断面図であり、（ａ）は非通電時の閉状態、（ｂ）は通電時の開状態、（ｃ）停電時の強制開放状態を示す。
【符号の説明】
【００１９】
１  給水経路
２  ダイヤフラム
２ａ  ダイヤフラムボディー
２ｂ  ダイヤフラムゴム
２ｃ  第１通水孔
２ｄ  第２通水孔
３  ピストン
４  電磁コイル
５  スプリング
６  強制開放機構
７  ダイヤフラム上部の空間
【図１】
2005214265.tif 000003
【図２】
2005214265.tif 000004